(57)【要約】【課題】電源電圧が不安定な環境下においても、画像形成装置の機能を損なわせることなく極力画像形成装置の生産性を落とさないように制御できるようにする。【解決手段】  電源電圧と電源ユニット温度を監視する監視手段を備えた画像形成装置であって、前記監視手段（１６０、１７０）により取得した電源電圧値と電源ユニット温度の情報に基づき、所定の電源電圧値とその時の許容電源ユニット温度で定めた動作範囲にあるか否か判定する判定手段（１１０）と、判定手段（１１０）が動作範囲でないと判定したとき、電源ユニット温度を前記許容電源ユニット温度の範囲内に維持するように、前記電源電圧で駆動される被駆動部の動作条件を変更する制御を行う動作条件制御手段（１１０）を有する。【選択図】図１
2017122816.tif 000002
【特許請求の範囲】
【請求項１】
電源電圧と電源ユニット温度を監視する監視手段を備えた画像形成装置であって、
前記監視手段により取得した電源電圧値と電源ユニットの温度情報に基づき、所定の電源電圧値とその時の許容電源ユニット温度で定めた動作範囲にあるか否か判定する判定手段と、
前記判定手段が前記動作範囲でないと判定したとき、電源ユニット温度を前記許容電源ユニット温度の範囲内に維持するように、前記電源電圧で駆動される被駆動部の動作条件を変更する制御を行う動作条件制御手段を有することを特徴とする画像形成装置。
【請求項２】
請求項１に記載された画像形成装置において
前記判定手段は、電源ユニットの温度情報で動作範囲を、複数の温度閾値に基づき判定し、かつ、前記動作条件制御手段は、各温度閾値に基づく判定に応じて前記動作条件を複数段に変更する制御を行う画像形成装置。
【請求項３】
請求項１に記載された画像形成装置において、
前記電源ユニットの冷却用ファンを有し、
前記動作条件制御手段は、電源電圧が所定値以上であり、かつ電源ユニット温度が所定値以上となったとき、前記冷却用ファンの風量を増大するように変更する画像形成装置。
【請求項４】
請求項１乃至３のいずれかに記載された画像形成装置において
前記電源電圧の判断閾値及び電源ユニット温度の判断閾値は任意に設定可能である画像形成装置。
【請求項５】
請求項１乃至４のいずれかに記載された画像形成装置において
前記動作条件制御手段は、電源電圧が所定値以上もしくは電源ユニット温度が所定値以上となったとき、被駆動部の動作を制限もしくは停止する画像形成装置。
【請求項６】
電源電圧と電源ユニット温度を監視する監視手段を備えた画像形成装置における動作制御方法であって、
前記監視手段により取得した電源電圧値と電源ユニット温度の情報に基づき、所定の電源電圧値とその時の許容電源ユニット温度で定めた動作範囲にあるか否か判定する判定工程と、
前記判定工程において前記動作範囲でないと判定したとき、電源ユニット温度を前記許容電源ユニット温度の範囲内に維持するように、前記電源電圧で駆動される被駆動部の動作条件を変更する制御を行う動作条件制御工程を有することを特徴とする画像形成装置における動作制御方法。
【発明の詳細な説明】
【技術分野】
【０００１】
本発明は、画像形成装置及び画像形成装置における動作制御方法に関する。
【背景技術】
【０００２】
電子写真方式の画像形成装置において、外部電源の入力電圧を検出し、検出した外部電源の入力電圧が所定の上限電圧値以下か否かを監視して、外部電源の入力電圧が当該所定の上限電圧値以下でないことを検出している間は、ヒータ用電源供給手段からの定着用ヒータへの電力供給を停止すると共にプロッタの動作を禁止する技術が知られている。
【０００３】
しかし、電源電圧を監視し、画像形成動作を一律に停止させる従来の装置では、生産性が著しく低下するという問題がある。
例えば、特許文献１（特開２０００−２９３４８号公報）には、外部電源が電圧変動した時の電源供給手段等（例えば電源ユニット、以下ＰＳＵと略称する）の故障や定着用ヒータの異常発熱による破損や、その異常発熱に起因する周辺プロッタ系の熱故障発生を防止する目的で外部電源の入力電圧が所定の上限電圧値以下でないと検出している間は、前記ヒータ用電源供給手段からの前記定着用ヒータへの電力供給を停止すると共に前記プロッタの動作を禁止する制御を行う画像記録装置が開示されている。
しかし、この画像記録装置では、電源電圧を監視し、動作可能な状態にあるにもかかわらず画像形成動作を一律に停止させることで生産性が著しく低下するという問題は解消できていない。
【発明の概要】
【発明が解決しようとする課題】
【０００４】
本発明は、前記従来の問題に鑑みてなされたものであって、その目的は、電源電圧が不安定な環境下においても、画像形成装置の機能を損なわせることなく極力画像形成装置の生産性を落とさないように制御できるようにすることである。
【課題を解決するための手段】
【０００５】
本発明は、電源電圧と電源ユニット温度を監視する監視手段を備えた画像形成装置であって、前記監視手段により取得した電源電圧値と電源ユニット温度の情報に基づき、所定の電源電圧値とその時の許容電源ユニット温度で定めた動作範囲にあるか否か判定する判定手段と、前記判定手段が前記動作範囲でないと判定したとき、電源ユニット温度を前記許容電源ユニット温度の範囲内に維持するように、前記電源電圧で駆動される被駆動部の動作条件を変更する制御を行う動作条件制御手段を有することを特徴とする画像形成装置である。
【発明の効果】
【０００６】
本発明によれば、電源電圧が不安定な環境下においても、画像形成装置の機能を損なわせることなく極力画像形成装置の生産性を落とさないように制御することができる。
【図面の簡単な説明】
【０００７】
【図１】本発明の実施形態に係る画像形成装置の制御ブロック図である。
【図２】本実施形態における電源電圧検出部での電源電圧算出結果とＰＳＵ温度検出部でのＰＳＵ近傍温度算出結果の組合せによって決定される高電圧時の動作範囲（１）〜（３）および通常電圧の動作範囲（４）の関係を示した図である。
【図３】動作条件の変更の一例として、ＰＳＵ近傍に備えられたファンの動作条件を示す図である。
【図４】電源電圧及び／又はＰＳＵ温度に応じて、ＰＳＵ近傍に備えられたファンの動作条件を変更する場合の動作手順を示すフロー図である。
【発明を実施するための形態】
【０００８】
次に、本発明の実施形態について説明するが、まず、その前に、本発明の背景について説明する。
即ち、画像形成装置の電源電圧が高電圧であるとＰＳＵに搭載されたコンデンサが破損するなどの問題が生じる。しかし高電圧状態が必ずしも常時続くとは限らず、短時間で復帰することもあれば、一定の電圧が保たれることもある。
また、ＰＳＵの推奨動作温度範囲を超えた状態で、一定の高電圧状態が保たれるような場合でも、生産性を下げることで継続動作させてもＰＳＵ破壊に至らないことも確認された。換言すれば、ＰＳＵに搭載された素子の温度が破壊温度に至らなければ問題無く使用することが出来るということである。
【０００９】
従来は、既に述べたように電源電圧のみに着目し、一律にマシン動作を停止させていたため、電源電圧事情が悪い地域では度々マシンが使用できなくなり、生産性が劣っていた。
しかし、ＰＳＵ温度を監視し、その温度に応じた動作条件でマシン動作を行うことで、生産性を極力落とさずに使用続けることが可能であることが分かった。本発明は、この知見に基づくものである。
【００１０】
以下、本発明の画像形成装置をその実施形態について図面を参照して説明する。
図１は、本発明の実施形態に係る画像形成装置の制御ブロック図である。
図中、画像形成装置の制御部１００は、プロセッサであるＣＰＵ（Central Processing Unit）１１０、メモリ１２０、操作部１３０、定着制御部１４０、紙搬送制御部１５０、電源電圧検出部１６０、ＰＳＵ温度検出部１７０、冷却ファン（以下、ファンと略称する）駆動制御部１８０を備えている。これらの各部は、バス２００により接続されている。
メモリ１２０は、ＲＯＭ（Read Only Memory）、ＲＡＭ（Random Access Memory）、ＥＥＰＲＯＭ（Electrically Erasable and Programmable ROM）、ハードディスク等の揮発性、不揮発性の記憶装置から構成される。メモリ１２０は、画像形成装置の基本プログラム、後述する電源検出、紙搬送制御を実行するためのプログラム、及びこれらのプログラムを実行するのに必要なシステムデータやその他のデータを記憶するとともに、ＣＰＵ１１０のワークメモリとして利用される。
【００１１】
ＣＰＵ１１０は、メモリ１２０内のプログラムに基づいて画像形成装置の各部を制御して、画像読取り基本処理を実行する。
ＣＰＵ１１０は、制御部１００において、監視手段を構成する電源電圧の変動および状態を検知する検出手段及びＰＳＵ周辺温度の検出手段、画像形成装置の動作の停止を行う動作制御手段、印刷用紙の移動速度を制御する移動速度変更手段（規定速度以下への変更）、ファンの駆動条件を制御（動作制御）するファン駆動制御手段の機能を実現させる。また、ＣＰＵ１１０は、監視手段により取得した電源電圧値と電源ユニット温度の情報に基づき、所定の電源電圧値とその時の許容電源ユニット温度で定めた後述する動作範囲にあるか否か判定する判定手段の機能も実現させる。
なお、動作制御手段、移動速度変更手段、ファン駆動制御手段を総称して動作条件制御手段という。
【００１２】
操作部１３０は、スタートキー、ファンクションキー等の各種操作キーが設けられているとともに、表示部、例えば、液晶ディスプレイが設けられている。操作部１３０は、操作キーによって画像形成装置に目的とする動作を行わせるのに必要な各種命令、出力紙のサイズ、紙厚等が入力操作される。また、表示部には、操作キーで入力された各種命令内容や画像形成装置からユーザに通知する各種情報が表示される。
【００１３】
定着制御部１４０は、定着ヒータを制御し、用紙の画像定着部の温度が常に規定の温度以上となるように定着ヒータのＯＮ／ＯＦＦを制御する。
紙搬送制御部１５０は、駆動モータを制御し、出力紙の搬送タイミングと速度を制御する。
電源電圧検出部１６０は、外部から供給される本画像形成装置の電源電圧を一定数サンプリングし、サンプリング値を元に電源電圧を算出する。
【００１４】
ＰＳＵ温度検出部１７０は、ＰＳＵ近傍に備えられた温度検出手段、ここではサーミスタからの温度情報を一定数サンプリングし、サンプリング値を元にＰＳＵ近傍温度を算出する。
ファン駆動制御部１８０は、ＰＳＵ近傍のファンのモータ（ＦＡＮモータ）を制御し、ＯＮ／ＯＦＦおよび動作パターン、風量変更制御等の各種ファン制御を行う。
【００１５】
図２は、縦軸に電源電圧、横軸にＰＳＵ近傍温度をとって、以上で述べた画像形成装置における、電圧監視手段である電源電圧検出部１６０での電源電圧算出結果と温度監視手段であるＰＳＵ温度検出部１７０でのＰＳＵ近傍温度算出結果の組合せによって決定される高電圧時の動作範囲（１）〜（３）および通常電圧の動作範囲（４）の関係を示した図である。
なお、図中、Ｖ１，Ｖ２，Ｖ３，Ｖ４は、電源電圧検出部１６０で算出された値（電源電圧値）、ＶＬＯは動作可能電源電圧下限値、ＶＵＰは動作可能電源電圧上限値を表し、画像形成装置は、通常動作可能電源電圧下限値ＶＬＯと電圧Ｖ２の範囲で動作するように管理されている。Ｔ１、Ｔ２、Ｔ３、Ｔ４はＰＳＵ近傍温度、ＴＬＯは動作可能ＰＳＵ近傍温度下限値、ＴＵＰは動作可能ＰＳＵ近傍温度上限値、（１）〜（３）は、それぞれ高電圧時の動作範囲、（４）は通常電圧の動作範囲を示す。
【００１６】
ＰＳＵは、電源電圧同様に動作可能ＰＳＵ近傍温度下限値ＴＬＯから動作可能ＰＳＵ近傍温度上限値ＴＵＰの範囲内で動作するようにＣＰＵ１１０（判定手段）によって制御される。
通常よりも高電圧時の動作範囲（１）〜（３）は一例であり、各々の高電圧時の動作範囲（１）〜（３）に応じてマシン動作を段階的に動作制御することにより、マシン破損に至らずに継続使用することが可能な動作条件である。ＰＳＵ温度を各動作範囲（１）〜（３）に応じて定めた所定値よりも上昇させないような動作条件とする。例えば、高電圧時の動作範囲が図中の（３）である場合は、通常（通常電圧の動作範囲（４）である）の動作に対し、生産性を下げることでＰＳＵの温度上昇を抑制することができる。温度上昇を抑制するために行う動作条件制御手段による動作条件の変更について、その代表例を挙げると、例えば、画像形成速度を下げる、連続動作である場合に給紙時間を設ける、用紙搬送速度を下げる（切替える枚数、タイミングは任意に設定可能）などの動作条件の変更が挙げられる。また、これらは、各温度閾値に基づく判定に応じて、例えば段階的に用紙搬送速度を下げるなど前記動作条件を複数段に変更する制御を行う。
【００１７】
図２に示すように、生産性については、高電圧時の動作範囲（１）＜（２）＜（３）＜（４）の関係がある。つまり、電源電圧が高いほど、またＰＳＵ近傍温度が高いほど生産性が下がる関係にある。
なお、電源電圧Ｖ２，Ｖ３，Ｖ４およびＰＳＵ近傍温度Ｔ１、Ｔ２、Ｔ３は任意に設定できる構成を採るのが望ましい。但しマシン破損の可能性があるので実際の操作はサービスマン等、マシン動作に精通している者が行うのがよい。
【００１８】
図３は、動作条件の変更の一例として、ＰＳＵ近傍に備えられたファンの動作条件を示す図である。
即ち、ＰＳＵ近傍に備えられたファンの動作条件は、図４のフロー図にて後述するが、ここでは電源電圧とＰＳＵ近傍温度との関係について説明する。
図３に示すように、予めファンの動作用として電源電圧の閾値（本実施形態では、ＶＡ，ＶＢ，ＶＣの３点、閾値電圧としてはＶＡ＜ＶＢ＜ＶＣの関係にありＶＣが一番高い）とＰＳＵ近傍温度の閾値（本実施形態ではＴＡ，ＴＢ，ＴＣの３点、閾値温度としてはＴＡ＜ＴＢ＜ＴＣの関係にありＴＣが一番高い）を設定する。メモリ１２０にその情報を記録しておく。
【００１９】
ここで、これらの閾値は任意に設定できる構成を採るのが好ましい。例えば廉価版のＰＳＵを使用する場合に、使用可能上限温度が低いときには、閾値温度ＴＡ，ＴＢ，ＴＣを低く設定し、早い段階でファンを動作させる、ファンの風量を上げるなどの措置を取ることが可能になるからである。
なお、図３では、ファン動作として総風量の表現を用いているが、これはファンの回転数を上げる方策、動作時間を長くする方策等、ファンの動作条件（回転数、動作時間）の組合せが生じるため総風量の記載としたものである。
【００２０】
図４は、電源電圧及び／又はＰＳＵ温度に応じて、ＰＳＵ近傍に備えられたファンの動作条件を変更する場合の動作手順を示すフロー図である。
ＰＳＵ近傍に備えられたファンの動作手順を、図４を参照して説明する。
即ち、画像形成装置がスタートすると、まず、電源電圧検出部１６０にて画像形成装置に供給される商用電源電圧をサンプリングする。次に、サンプリングした商用電源電圧から平均化などにより電源電圧ＶＰを算出する（Ｓ１００）。算出された電源電圧値ＶＰを基にそれが動作可能電源電圧下限値ＶＬＯ以上である（ＶＬＯ≦ＶＰ）か判断する（Ｓ１０１）。ここで、電源電圧ＶＰが動作可能電源電圧下限値ＶＬＯ以上でない（ＶＰ＜ＶＬＯ）ときは（Ｓ１０１、Ｎｏ）、サブルーチンである低電圧処理（Ｓ２００）に移行する。同時に、画像形成装置に報知機能が付いている場合にはユーザへその旨を報知する。
【００２１】
ステップＳ１０１で、電源電圧ＶＰが動作可能電源電圧下限値ＶＬＯ以上である（ＶＬＯ≦ＶＰ）ときは（Ｓ１０１、Ｙｅｓ）、次に、電源電圧ＶＰが電圧Ｖ２以上であるか否かを判定する（Ｓ１０２）。判定の結果、電源電圧ＶＰが電圧Ｖ２未満であれば（ＶＰ＜Ｖ２）（Ｓ１０２、Ｎｏ）、通常動作のサブルーチンＳ３００へ移行し、通常動作（通常印刷動作）を開始する。
電源電圧ＶＰが電圧Ｖ２以上であれば（ＶＰ≧Ｖ２）（Ｓ１０２、Ｙｅｓ）、図３の通常の動作範囲（４）から外れるため、ファン動作処理（動作条件の変更）を行う（Ｓ１０３）。
【００２２】
次に、電源電圧ＶＰがどの範囲にあるのか判定する（Ｓ１０４）。電源電圧ＶＰが電圧Ｖ２と電圧Ｖ３の間、つまり電源電圧ＶＰはＶ３未満であれば（Ｓ１０４、Ｎｏ）、ＰＳＵ近傍の温度をサンプリングし、ＰＳＵ温度検出部１７０で、例えばサンプリングした温度の平均値を算出する等してＰＳＵ温度ＴＰを算出する（Ｓ１０５）。次に、算出したＰＳＵ近傍の温度ＴＰをもとに、ＰＳＵ近傍温度ＴＰが温度Ｔ３以上か判定し（Ｓ１０６）、以上でない場合（ＴＰ＜Ｔ３）には（Ｓ１０６、Ｙｅｓ）、図２の高電圧動作の動作範囲（３）にて所定枚数の印刷を行う（Ｓ１０７）。この場合において印刷継続中にＰＳＵ近傍の温度ＴＰが温度Ｔ３以上（ＴＰ≧Ｔ３）と判定されたときは（Ｓ１０８、Ｙｅｓ）、停止処理のサブルーチンに進み（Ｓ１１９）、処理を停止する。つまり、ＰＳＵ近傍の温度ＴＰが温度Ｔ３以上になるまでは（Ｓ１０８、Ｎｏ）、印刷を継続し、温度Ｔ３以上になると（Ｓ１０８、Ｙｅｓ）印刷を停止する。
【００２３】
ステップＳ１０４にて電源電圧ＶＰが電圧Ｖ３以上（ＶＰ≧Ｖ３）と判定されたときは（Ｓ１０４、Ｙｅｓ）、さらに電源電圧ＶＰが電圧Ｖ４未満（ＶＰ＜Ｖ４）であるか否か判定し（Ｓ１０９）、Ｖ４未満であれば（Ｓ１０９、Ｙｅｓ）、ステップＳ１０５におけると同様に、ＰＳＵ近傍の温度をサンプリングし、ＰＳＵ温度検出部１７０でＰＳＵ近傍の温度ＴＰを算出する（Ｓ１１０）。次に、算出した温度ＴＰが図２の高電圧時の動作範囲（２）（ＴＰ＜Ｔ２未満）にあるか判定する（Ｓ１１１）。ここで、温度ＴＰが高電圧時の動作範囲（２）にあれば（Ｓ１１１，Ｙｅｓ）、高電圧時の動作範囲（２）にて所定枚数の印刷を行う（Ｓ１１２）。ここで印刷動作継続中にＰＳＵ近傍の温度ＴＰが温度Ｔ２以上になった（ＴＰ≧Ｔ２）と判定されたときは（Ｓ１１３、Ｙｅｓ）、停止処理のルーチンに進み（Ｓ１１９）、処理を停止する。
つまり、ＰＳＵ近傍の温度ＴＰが温度Ｔ２以上になるまでは（Ｓ１１３、Ｎｏ）、印刷を継続し、温度Ｔ２以上になる（Ｓ１１３、Ｙｅｓ）と印刷を停止する。
【００２４】
ステップＳ１０９において、電源電圧ＶＰが電圧Ｖ４以上であるときは（Ｓ１０９、Ｎｏ）、次に、電源電圧ＶＰが最高電圧ＶＵＰ以上（ＶＰ≧ＶＵＰ）かどうか判定し（Ｓ１１４）、最高電圧ＶＵＰ以上であれば（Ｓ１１４、Ｎｏ）、印刷は行わずＳ４００の高電圧処理のサブルーチンへ進み、電源電圧を即遮断（シャットオフ）しユーザへ警告を報知するなどの高電圧処理を行う。
【００２５】
ステップＳ１１４で電源電圧ＶＰが高電圧ではあるものの動作可能電源電圧上限値ＶＵＰ未満である（ＶＵＰ＞ＶＰ）と判定されたときは（Ｓ１１４、Ｙｅｓ）、ステップＳ１０５及びステップＳ１１０と同様に、ＰＳＵ近傍の温度をサンプリングし、ＰＳＵ温度検出部１７０でＰＳＵ近傍の温度ＴＰを算出する（Ｓ１１５）。次に、算出した温度ＴＰが高電圧動作（１）の範囲（ＴＰ＜Ｔ１）であるか判定し（Ｓ１１６）、ＴＰ＜Ｔ１である、つまり高電圧時の動作範囲（１）にあるときは（Ｓ１１６、Ｙｅｓ）、高電圧時の動作範囲（１）にて所定枚数の印刷を行う（Ｓ１１７）。ここで印刷継続中にＰＳＵ近傍の温度ＴＰが温度Ｔ１以上になった（ＴＰ≧Ｔ１）と判定されたときは（Ｓ１１８、Ｙｅｓ）、停止処理のサブルーチンに進み（Ｓ１１９）、処理を停止する。つまり、ＰＳＵ近傍の温度ＴＰが温度Ｔ１以上になるまでは（Ｓ１１８、Ｎｏ）、印刷を継続し、温度Ｔ１以上になる（Ｓ１１８、Ｙｅｓ）と印刷を停止する。
【００２６】
なおフロー図には記載していないがステップＳ１０７、Ｓ１１２、Ｓ１１７での各高電圧動作（３）、（２）、（１）での所定枚数印刷終了後には、ステップＳ１１９の停止処理のサブルーチンへ進む。
また、これもフロー図には記載していないが、通常動作時において、ＰＳＵ温度が設定値を超えるような場合にはファンを動作させＰＳＵ温度上昇を抑制し極力生産性を下げないような構成にしてもよい。
【００２７】
以上説明したように、本実施形態によれば、電源電圧とＰＳＵ近傍の温度情報を監視し、電源電圧とＰＳＵ近傍温度の組合せ（動作範囲）から画像形成装置の動作を制限・制御して、動作範囲内での動作を維持することで、電源電圧が不安定な環境下においても画像形成装置の機能を損なわせることなく極力画像形成装置の生産性を落とさないように制御することができる。
より具体的には、
（１）判定手段が正常な電源電圧とＰＳＵ近傍の温度の組み合わせから動作範囲でないと判定したときは、電源ユニット温度を許容電源ユニット温度の範囲内に維持するように、ＰＵＳで電源供給されて駆動される被駆動部の動作条件を変更する制御を行う。
そのため、高電圧でもＰＳＵの状態によっては制限しなくてもよい場合にマシン動作を止めることが無い。そのため、生産性に優れた画像形成装置を提供できる。
【００２８】
（２）電源ユニットの温度情報で動作範囲を、複数の温度閾値に基づき判定し、かつ、前記動作条件制御手段は、各温度閾値に基づく判定に応じて前記動作条件を複数段に変更する。
そのため、電源異常→即停止としないことで生産性を高め、かつＰＳＵ温度管理をすることでＰＳＵの破損を抑制することが出来る。また、数段階の制御とすることで電源異常時における生産性を高めることが可能である。
（３）電源ユニット温度が所定値以上となったとき、冷却用ファンの風量を増大するように変更する。即ち、ファンを動作、もしくはファンの動作を変えることでＰＳＵの温度上昇を極力抑制し、マシン動作を止めない・制限しないことが出来、さらに生産性を高めることが出来る。
【００２９】
（４）電源電圧の判断閾値及び電源ユニット温度の判断閾値は任意に設定可能である。そのため、画像形成装置の設置環境に応じた細かな設定を実施することが出来、より生産性が増した画像形成装置を提供できる。
（５）電源電圧が所定値以上もしくはＰＳＵ温度が所定値以上となったとき、被駆動部の動作を制限もしくは停止する。そのため、ＰＳＵの故障を確実に防止できる。
【符号の説明】
【００３０】
１００・・・（画像形成装置の）制御部、１１０・・・ＣＰＵ、１２０・・・メモリ、１３０・・・操作部、１４０・・・定着制御部、１５０・・・紙搬送制御部、１６０・・・電源電圧検出部、１７０・・・ＰＳＵ温度検出部、１８０・・・ファン駆動制御部。
【先行技術文献】
【特許文献】
【００３１】
【特許文献１】特開２０００−２９３４８号公報
【図１】
2017122816.tif 000003
【図２】
2017122816.tif 000004
【図３】
2017122816.tif 000005
【図４】
2017122816.tif 000006